(57)【要約】【課題】本発明は、Ｕインターフェースの回路極性を自動的に反転することに用いられるＵインターフェースの回路極性を自動的に反転するシステムを提供する。【解決手段】本発明に係るＵインターフェースの回路極性を自動的に反転するシステムは、ライン端末に設けられ、前記ライン端末とデジタル・サービス・ユニットとは、Ｕインターフェースによって通信するように接続されており、前記システムは、電流検出モジュール、回路極性判断モジュール及び回路極性反転モジュールを備える。前記電流検出モジュールは、前記Ｕインターフェースの回路電流を検出する。前記回路極性判断モジュールは、前記回路電流が存在する時、前記Ｕインターフェースの回路極性が正しいかどうかを判断する。前記回路極性反転モジュールは、前記回路極性が正しくない時、前記ライン端末のＵインターフェースの回路極性を反転する。【選択図】図１
2007295575.tif 000002
【特許請求の範囲】
【請求項１】
ライン端末に設けられ、前記ライン端末とデジタル・サービス・ユニットとは、Ｕインターフェースによって通信するように接続されており、前記Ｕインターフェースの回路極性を自動的に反転するシステムにおいて、
前記Ｕインターフェースの回路電流を検出する電流検出モジュールと、
前記回路電流が存在する時、前記Ｕインターフェースの回路極性が正確かどうかを判断する回路極性判断モジュールと、
前記回路極性が正確でない時、前記ライン端末のＵインターフェースの回路極性を反転する回路極性反転モジュールと、
を備えることを特徴とするＵインターフェースの回路極性を自動的に反転するシステム。
【請求項２】
前記回路極性判断モジュールは、
電流が存在する時、一つのタイミング周期に基づいてタイミングする第一タイマーと、
前記第一タイマーが一定の時間を越えるかどうかを判断する第一判断サブモジュールと、
前記第一タイマーが一定の時間を越えなかった時、前記ライン端末と前記デジタル・サービス・ユニットとの間のフレームが同期化したかどうかを判断するフレーム検出サブモジュールと、
を備えることを特徴とする請求項１に記載のＵインターフェースの回路極性を自動的に反転するシステム。
【請求項３】
前記電流検出モジュールは、さらに回路電流の変化を検出することに用いられることを特徴とする請求項１に記載のＵインターフェースの回路極性を自動的に反転するシステム。
【請求項４】
前記回路極性判断モジュールは、第二タイマーを備え、前記回路電流が変化する時のシステム時間を記録することを特徴とする請求項３に記載のＵインターフェースの回路極性を自動的に反転するシステム。
【請求項５】
前記回路極性判断モジュールは、さらに、
前記第二タイマーが記録したシステムの時間に基づいて、回路電流が連続して二次変化した時のシステム時間差が開区間（Ａ−ｘ,Ａ＋ｘ）ｍｓの内に存在するかどうかを判断し、公式で、ｘは、システム誤差であり、Ａは予め設定した値である第二判断サブモジュールと、
回路電流が連続して二次変化した時のシステム時間差が開区間（Ａ−ｘ,Ａ＋ｘ）ｍｓの内に存在する回数を記録するカウンターと、
前記カウンターの値が予め設定した第一閾値より大きいかどうかを判断し、且つ前記カウンターの値が前記第一閾値より大きい時、前記カウンターを零に返し、同時に前記回路極性反転モジュールをスタート・アップして作動する第三判断サブモジュールと、
を備えることを特徴とする請求項４に記載のＵインターフェースの回路極性を自動的に反転するシステム。
【請求項６】
前記予め設定した値であるＡは、４０ｍｓであることを特徴とする請求項５に記載のＵインターフェースの回路極性を自動的に反転するシステム。
【請求項７】
前記第二タイマーは、さらに回路電流が毎次変化する時のシステム時間を皆Ｍ＋１位のキューの中に記録し、且つ第（ｉ＋１）次に電流が変化する時のシステム時間を前記キューの第ｉ位（ｉ＝１，２．．．Ｍ＋１）に記録することを特徴とする請求項４に記載のＵインターフェースの回路極性を自動的に反転するシステム。
【請求項８】
前記回路極性判断モジュールは、さらに第四判断サブモジュールを備え、前記第二タイマーが記録した回路電流が変化する時のシステム時間に基づいて、前記回路電流が連続してＭ次変化した時のシステム時間差が予め設定した第二閾値より小さいかどうかを判断し、且つ回路電流が連続してＭ次変化した時のシステム時間差が前記第二閾値より小さい時、前記キューを零に返し、同時に前記回路極性反転モジュールをスタート・アップして作動することを特徴とする請求項７に記載のＵインターフェースの回路極性を自動的に反転するシステム。
【請求項９】
さらに回路極性反転カウンターを備え、前記ライン端末のＵインターフェースの回路極性が反転した回数を記録し、且つ前記回路極性反転モジュールが前記ライン端末のＵインターフェースの回路極性を反転した後、自動的に１を加えることを特徴とする請求項１に記載のＵインターフェースの回路極性を自動的に反転するシステム。
【請求項１０】
前記回路極性判断モジュールは、さらに、
回路電流が変化する時のシステム時間を記録し、且つ回路電流が毎次変化する時のシステム時間を皆Ｍ＋１（Ｍ＝１，２，３．．．）位の第一キューの中に記録し、且つ第ｉ＋１次に電流が変化する時のシステム時間を該キューの第ｉ位（ｉ＝１，２．．．Ｍ＋１）に記録する第二タイマーと、
回路電流が連続してＭ次変化した時のシステム時間差が予め設定した第二閾値より小さいかどうかを判断し、且つ回路電流が連続してＭ次変化した時のシステム時間差が前記第二閾値より小さい時、前記キューを零に返し、第Ｍ＋１次に電流が変化する時のシステム時間を二位の第二キューのＴ０位に記録し、元のＴ０位の値をＴ１位に記録する第四判断サブモジュールと、
前記第二キューのＴ１位の値が０であるかどうか、及びＴ１位の値が０ではない時、Ｔ０とＴ１の差が予め設定した第二閾値より大きいかどうかを判断し、もしＴ０とＴ１の差が予め設定した第二閾値より大きければ、前記回路極性反転カウンターを零に返し、同時に前記回路極性反転モジュールをスタート・アップして作動する第五判断サブモジュールと、
を備えることを特徴とする請求項９に記載のＵインターフェースの回路極性を自動的に反転するシステム。
【請求項１１】
前記第五判断サブモジュールは、さらに、Ｔ０とＴ１の差が前記第二閾値より小さいか等しい時、前記回路極性反転カウンターによって回路極性の反転した回数がもう一つの閾値より大きいか等しいかを判断することを特徴とする請求項１０に記載のＵインターフェースの回路極性を自動的に反転するシステム。
【請求項１２】
前記もう一つの閾値は、予め設定した値であって、２より大きいか等しいことを特徴とする請求項１１に記載のＵインターフェースの回路極性を自動的に反転するシステム。
【請求項１３】
前記回路極性判断モジュールは、さらに、
回路電流が連続してＭ次変化した時のシステム時間差が前記第二閾値より大きい時、予め設定したタイミング周期に基づいてタイミングする第一タイマーと、
前記第一タイマーが一定の時間を越えるかどうかを判断する第一判断サブモジュールと、
前記第一タイマーが一定の時間を越えなかった時、ライン端末とデジタル・サービス・ユニットとの間のフレームが同期化したかどうかを判断するフレーム検出サブモジュールと、
を備えることを特徴とする請求項１２に記載のＵインターフェースの回路極性を自動的に反転するシステム。
【請求項１４】
前記第一タイマーは、さらに前記回路極性の反転した回数が前記もう一つの閾値より大きい時、前記タイミング周期に基づいてタイミングすることを特徴とする請求項１３に記載のＵインターフェースの回路極性を自動的に反転するシステム。
【請求項１５】
前記他のタイマーは、さらに前記回路極性反転カウンターが自動的に１を加えてから、前記タイミング周期に基づいてスタート・アップすることをことを特徴とする請求項１３に記載のＵインターフェースの回路極性を自動的に反転するシステム。
【請求項１６】
ライン端末に用いられるＵインターフェースの回路極性を自動的に反転する方法であって、前記ライン端末とデジタル・サービス・ユニットとは、Ｕインターフェースによって通信するように接続されており、前記方法は、
前記ライン端末のＵインターフェースの回路電流を検出するステップと、
回路電流が存在する時、前記Ｕインターフェースの回路極性が正確かどうかを判断するステップと、
もし前記Ｕインターフェースの回路極性が正しくなければ、前記ライン端末のＵインターフェースの回路極性を反転するステップと、
を備えることを特徴とするＵインターフェースの回路極性を自動的に反転する方法。
【請求項１７】
第一タイマーをスタート・アップして、予め設定したタイミング周期に基づいてタイミングを始めるステップと、
前記第一タイマーが一定の時間を越えるかどうかを判断するステップと、
もし前記第一タイマーが一定の時間を越えなければ、前記ライン端末とデジタル・サービス・ユニットとの間のフレームが同期化したかどうかを判断するステップと、
もし前記フレームが同期化しなければ、前記ライン端末のＵインターフェースの回路極性を反転するステップと、
をさらに備えることを特徴とする請求項１６に記載のＵインターフェースの回路極性を自動的に反転する方法。
【請求項１８】
もし前記ライン端末と前記デジタル・サービス・ユニットとの間のフレームが同期化すると、続いて前記回路電流を検出するステップをさらに備えることを特徴とする請求項１７に記載のＵインターフェースの回路極性を自動的に反転する方法。
【請求項１９】
前記回路電流が毎次変化する時のシステム時間を記録するステップと、
前記記録したシステム時間に基づいて、回路電流が連続して二次変化した時のシステム時間差が開区間（Ａ−ｘ,Ａ＋ｘ）ｍｓの内に存在するかどうかを判断し、公式で、ｘは、システム誤差であり、Ａは予め設定した値であるステップと、
もし前記システム時間差が開区間の内に存在すると、前記システム時間差が前記開区間に存在する回数をカウンターに記録するステップと、
前記カウンターの値が予め設定した第一閾値より大きいかどうかを判断するステップと、
もし前記カウンターの値が前記第一閾値より大きければ、ライン端末のＵインターフェースの回路極性を反転するステップと、
をさらに備えることを特徴とする請求項１６に記載のＵインターフェースの回路極性を自動的に反転する方法。
【請求項２０】
前記予め設定した値であるＡは、４０ｍｓであることを特徴とする請求項１９に記載のＵインターフェースの回路極性を自動的に反転する方法。
【請求項２１】
もし前記システム時間差が開区間の内に存在しなければ、前記カウンターを零に返すステップをさらに備えることを特徴とする請求項１９に記載のＵインターフェースの回路極性を自動的に反転する方法。
【請求項２２】
もし前記カウンターの値が前記第一閾値より小いか等しさければ、続いて前記回路電流を検出するステップをさらに備えることを特徴とする請求項１９に記載のＵインターフェースの回路極性を自動的に反転する方法。
【請求項２３】
回路電流が変化する時のシステム時間を記録し、且つ回路電流が毎次変化する時のシステム時間をＭ＋１（Ｍ＝１，２，３．．．）位の第一キューの中に記録し、第（ｉ＋１）次に電流が変化する時のシステム時間を前記キューの第ｉ位（ｉ＝１，２．．．Ｍ＋１）に記録するステップと、
前記回路電流が連続してＭ次変化した時のシステム時間差が予め設定した第二閾値より小さいかどうかを判断するステップと、
もし前記回路電流が連続してＭ次変化した時のシステム時間差が前記第二閾値より小さければ、ライン端末のＵインターフェースの回路極性を反転するステップと、
をさらに備えることを特徴とする請求項１６に記載のＵインターフェースの回路極性を自動的に反転する方法。
【請求項２４】
もし前記システム時間差が前記第二閾値より大きいか等しければ、続いてライン端末のＵインターフェースの回路電流を検出するステップをさらに備えることを特徴とする請求項２３に記載のＵインターフェースの回路極性を自動的に反転する方法。
【請求項２５】
回路電流が変化する時のシステム時間を記録し、且つ回路電流が毎次変化する時のシステム時間をＭ＋１（Ｍ＝１，２，３．．．）位の第一キューの中に記録し、第ｉ＋１次に電流が変化する時のシステム時間を該キューの第ｉ位（ｉ＝１，２．．．Ｍ＋１）に記録するステップと、
第一キューの第一位が０であるかどうかを判断するステップと、
もし前記第一キューの第一位が０でなければ、回路電流が連続してＭ次変化した時のシステム時間差が予め設定した第二閾値より小さいかどうかを判断するステップと、
もし前記システム時間差が前記第二閾値より小さければ、第一キューを零に返し、且つ第Ｍ＋１次に電流が変化する時のシステム時間を二位の第二キューのＴ０位に記録し、元のＴ０位の値をＴ１位に記録するステップと、
前記第二キューのＴ１位の値が０であるかどうかを判断するステップと、
もし前記Ｔ１位の値が０であれば、ライン端末のＵインターフェースの回路極性を反転するステップと、
前記回路極性反転カウンターが自動的に１を加えるステップと、
をさらに備えることを特徴とする請求項１６に記載のＵインターフェースの回路極性を自動的に反転する方法。
【請求項２６】
もし前記Ｔ１位の値が０ではなければ、Ｔ０とＴ１の差が前記第二閾値より大きいかどうかを判断するステップと、
もしＴ０とＴ１の差が前記第二閾値より小さいか等しければ、前記回路極性の反転した回数が他の予め設定した閾値より大きいか等しいかを判断するステップと、
もし前記回路極性の反転した回数が前記他の閾値より小さければ、前記ライン端末のＵインターフェースの回路極性を反転するステップと、
前記回路極性反転カウンターが自動的に１を加えるステップと、
をさらに備えることを特徴とする請求項２５に記載のＵインターフェースの回路極性を自動的に反転する方法。
【請求項２７】
前記他の予め設定した閾値が２より大きいか等しいことを特徴とする請求項２６に記載のＵインターフェースの回路極性を自動的に反転する方法。
【請求項２８】
もし前記第一キューの第一位が０ならば、回路電流が存在するかどうかを検出するステップをさらに備えることを特徴とする請求項２６に記載のＵインターフェースの回路極性を自動的に反転する方法。
【請求項２９】
もし回路極性の反転した回数が前記閾値より大きいか等しければ、回路電流が存在するかどうかを検出するステップをさらに備えることを特徴とする請求項２６に記載のＵインターフェースの回路極性を自動的に反転する方法。
【請求項３０】
もしシステム時間差が前記第二閾値より大きいか等しければ、回路電流が存在するかどうかを検出するステップをさらに備えることを特徴とする請求項２６に記載のＵインターフェースの回路極性を自動的に反転する方法。
【請求項３１】
第一タイマーをスタート・アップして、予め設定したタイミング周期に基づいてタイミングするステップと、
第一タイマーが一定の時間を越えるかどうかを判断するステップと、
もし前記第一タイマーが一定の時間を越なければ、前記回路電流が消えたかどうかを判断するステップと、
もし前記回路電流が消えなかった時、前記ライン端末と前記デジタル・サービス・ユニットとの間のフレームが同期化したかどうかを判断するステップと、
もし前記ライン端末と前記デジタル・サービス・ユニットとの間のフレームが同期化しなければ、続いて第一タイマーが一定の時間を越えるかどうかを判断するステップと、
をさらに備えることを特徴とする請求項２８から請求項３０のうち何れか一項に記載のＵインターフェースの回路極性を自動的に反転する方法。
【請求項３２】
もし前記ライン端末と前記デジタル・サービス・ユニットとの間のフレームが同期化すると、前記第一タイマーを取り消すステップをさらに備えることを特徴とする請求項３１に記載のＵインターフェースの回路極性を自動的に反転する方法。
【請求項３３】
前記第一タイマーを取り消してから、
前記回路電流が存在するかどうかを判断するステップと、
もし前記回路電流が存在すると、前記ライン端末と前記デジタル・サービス・ユニットとの間のフレームが同期化したかどうかを判断するステップと、
もし前記フレームが同期化しなければ、前記第一タイマーをもう一度スタート・アップするステップと、
をさらに備えることを特徴とする請求項３２に記載のＵインターフェースの回路極性を自動的に反転する方法。
【請求項３４】
もし前記フレームが同期化すると、続いて回路電流が存在するかどうかを判断するステップをさらに備えることを特徴とする請求項３３に記載のＵインターフェースの回路極性を自動的に反転する方法。
【請求項３５】
もし前記回路電流が消えると、前記第一タイマーを取り消すステップと、
回路電流が変化するシステム時間をもう一度記録するステップと、
をさらに備えることを特徴とする請求項３１に記載のＵインターフェースの回路極性を自動的に反転する方法。
【請求項３６】
もし前記第一タイマーが一定の時間を越えると、前記回路極性反転カウンターを零に返すステップと、
回路極性を反転するステップと、
回路極性反転カウンターが１を加えるステップと、
前記第一タイマーをもう一度スタート・アップしてタイミングするステップと、
をさらに備えることを特徴とする請求項３１に記載のＵインターフェースの回路極性を自動的に反転する方法。
【請求項３７】
前記第一タイマーをもう一度スタート・アップしてから、
前記第一タイマーが一定の時間を越えるかどうかを判断するステップと、
もし前記第一タイマーが一定の時間を越えなければ、前記回路電流が消えたかどうかを検出するステップと、
もし前記回路電流が消えなければ、前記ライン端末と前記デジタル・サービス・ユニットとの間のフレームが同期化したかどうかを判断するステップと、
もし前記フレームが同期化しなければ、続いて前記第一タイマーが一定の時間を越えるかどうかを判断するステップと、
をさらに備えることを特徴とする請求項３６に記載のＵインターフェースの回路極性を自動的に反転する方法。
【請求項３８】
もし前記ライン端末と前記デジタル・サービス・ユニットとの間のフレームが同期化すると、前記第一タイマーを取り消すステップをさらに備えることを特徴とする請求項３６に記載のＵインターフェースの回路極性を自動的に反転する方法。
【請求項３９】
もし前記第一タイマーが一定の時間を越えると、前記回路極性の反転した回数がもう一つの閾値より大きいか等しいかどうかを判断するステップと、
もし前記回路極性の反転した回数がもう一つの閾値より大きければ、前記回路電流が存在するかどうかを判断するステップと、
もし前記回路電流が存在すると、前記ライン端末とデジタル・サービス・ユニットとの間のフレームが同期化したかどうかを判断するステップと、
もし前記フレームが同期化しなければ、続いて前記回路電流が存在するかどうかを検出するステップと、
をさらに備えることを特徴とする請求項３６に記載のＵインターフェースの回路極性を自動的に反転する方法。
【請求項４０】
もし前記回路電流が存在しなければ、前記回路電流が変化するシステム時間をもう一度記録するステップをさらに備えることを特徴とする請求項３９に記載のＵインターフェース回路の極性を自動的に反転する方法。
【請求項４１】
もし前記フレームが同期化すると、続いて回路電流が存在するかどうかを判断するステップと、
もし前記回路電流が存在しなければ、前記回路電流が変化するシステム時間をもう一度記録するステップと、
をさらに備えることを特徴とする請求項３９に記載のＵインターフェースの回路極性を自動的に反転する方法。
【発明の詳細な説明】
【技術分野】
【０００１】
本発明は、回路極性を自動的に反転するシステム及び方法に関するものであり、特にＵインターフェースの回路極性を自動的に反転するシステム及び方法に関するものである。
【背景技術】
【０００２】
従来の総合サービス・デジタル・ネットワーク（Ｉｎｔｅｇｒａｔｅｄ  Ｓｅｒｖｉｃｅｓ  Ｄｉｇｉｔａｌ  Ｎｅｔｗｏｒｋ，ＩＳＤＮ）において、ユーザー端末は、デジタル・サービス・ユニット（Ｄｉｇｉｔａｌ  Ｓｅｒｖｉｃｅ  Ｕｎｉｔ）によって、ライン端末（Ｌｉｎｅ  ｔｅｒｍｉｎａｌ）に接続されており、且つライン端末を介して、交換端末（Ｅｘｃｈａｎｇｅ  Ｔｅｒｍｉｎａｔｉｏｎ）に接続される。前記デジタル・サービス・ユニット及びユーザー端末は、室内に一緒に取り付けられる。前記ライン端末と前記デジタル・サービス・ユニットとの間は、Ｕインターフェースによって通信接続する。
【０００３】
人為的に取り付けるため、Ｕインターフェースの回路極性の転倒により、前記デジタル・サービス・ユニットと前記ライン端末との間は、正常に通信することができなく、従ってユーザー端末が正常に作動することができない。そのばかりでなく、ユーザーがデジタル・サービス・ユニットのＵインターフェースの回路極性を自ら改めることは非常に不便である。
【発明の開示】
【発明が解決しようとする課題】
【０００４】
本発明の第一の目的は、前述の問題を解決し、Ｕインターフェースの回路極性を自動的に反転するシステムを提供し、前記Ｕインターフェースの回路極性を自動的に反転することに用いられる。
【０００５】
本発明の第二の目的は、前述の問題を解決し、Ｕインターフェースの回路極性を自動的に反転する方法を提供し、前記Ｕインターフェースの回路極性を自動的に反転することに用いられる。
【課題を解決するための手段】
【０００６】
前記第一目的を達成するため、本発明に係るＵインターフェースの回路極性を自動的に反転するシステムは、ライン端末に設けられ、前記ライン端末とデジタル・サービス・ユニットとは、Ｕインターフェースによって通信するように接続されており、前記システムは、電流検出モジュール、回路極性判断モジュール及び回路極性反転モジュールを備える。前記電流検出モジュールは、前記Ｕインターフェースの回路電流を検出する。前記回路極性判断モジュールは、前記回路電流が存在する時、前記Ｕインターフェースの回路極性が正確かどうかを判断する。前記回路極性反転モジュールは、前記回路極性が正確でない時、前記ライン端末のＵインターフェースの回路極性を反転する。
【０００７】
前記第二目的を達成するため、本発明に係るＵインターフェースの回路極性を自動的に反転する方法は、ライン端末に用いられ、前記ライン端末とデジタル・サービス・ユニットとは、Ｕインターフェースによって通信するように接続されており、前記方法は、前記ライン端末のＵインターフェースの回路電流を検出するステップと、前記回路電流が存在する時、前記Ｕインターフェースの回路極性が正確かどうかを判断するステップと、もし前記Ｕインターフェースの回路極性が正しくなければ、前記ライン端末のＵインターフェースの回路極性を反転するステップとを備える。
【発明の効果】
【０００８】
本発明の実施形態が提供するＵインターフェースの回路極性を自動的に反転するシステム及び方法は、回路極性判断モジュールを利用して、ライン端末のＵインターフェースの回路極性が正確かどうかを判断し、もし前記回路極性が正確でなければ、前記回路極性を自動的に反転することにより、回路極性が正確でないためにネットワーク設備が正常に作動できない現象を免れる。                                                        
【発明を実施するための最良の形態】
【０００９】
図１は、本発明の実施形態のＵインターフェースの回路極性を自動的に反転するシステムの構成を示すブロック図である。本実施形態において、ライン端末１０とデジタル・サービス・ユニット２０との間は、Ｕインターフェースによって通信接続されており、Ｕインターフェースの回路極性を自動的に反転するシステム１００は、前記ライン端末１０に設けられる。前記Ｕインターフェースの回路極性を自動的に反転するシステム１００は、電流検出モジュール１０１、回路極性判断モジュール１０３及び回路極性反転モジュール１０５を備える。
【００１０】
前記電流検出モジュール１０１は、前記ライン端末１０と前記デジタル・サービス・ユニット２０との間のＵインターフェースの回路電流が存在するかどうかを検出することに用いられ、且つ前記回路電流が存在する時、前記回路極性判断モジュール１０３をスタート・アップして作動する。
【００１１】
前記回路極性判断モジュール１０３は、前記ライン端末１０と前記デジタル・サービス・ユニット２０との間の回路極性が正確かどうかを判断し、且つ前記回路極性が正確でない時、前記回路極性反転モジュール１０５をスタート・アップして作動する。
【００１２】
前記回路極性反転モジュール１０５は、前記ライン端末１０のＵインターフェースの回路極性を反転することに用いられる。
【００１３】
図２は、本発明の他の実施形態のＵインターフェースの回路極性を自動的に反転するシステム２００の構成を示すブロック図である。Ｕインターフェースの回路極性を自動的に反転するシステム２００は、電流検出モジュール２０１、回路極性判断モジュール２０３及び回路極性反転モジュール２０５を備える。
【００１４】
前記電流検出モジュール２０１は、前記ライン端末１０と前記デジタル・サービス・ユニット２０との間のＵインターフェースの回路電流を検出し、且つ前記回路電流が存在する時、前記回路極性判断モジュール２０３をスタート・アップして作動する。
【００１５】
前記回路極性判断モジュール２０３は、前記ライン端末１０のＵインターフェースの回路極性が正確かどうかを判断し、第一タイマー２０３１、第一判断サブモジュール２０３３及びフレーム検出サブモジュール２０３５を備える。前記第一タイマー２０３１は、設定したタイミング周期に基づいてタイミングする。本実施形態において、前記タイミング周期は、前記ライン端末１０と前記デジタル・サービス・ユニット２０との間のフレームを同期化することに必要な時間より大きい。前記第一判断サブモジュール２０３３は、前記第一タイマー２０３１が一定の時間を越えるかどうかを判断し、且つ前記第一タイマー２０３１が一定の時間を越えなかった時、前記フレーム検出サブモジュール２０３５をスタート・アップして作動する。前記フレーム検出サブモジュール２０３５は、第一タイミング周期の内に、前記ライン端末１０と前記デジタル・サービス・ユニット２０との間のフレームが同期化したかどうかを判断する。本実施形態において、もし前記第一タイミング周期の内に、前記フレームが同期化しなかった時、即ち前記第一タイマー２０３１が一定の時間を越える前に、前記フレームが依然同期化しなかった時、前記回路極性反転モジュール２０５をスタート・アップして作動する。
【００１６】
前記回路極性反転モジュール２０５は、前記ライン端末１０のＵインターフェースの回路極性を反転することに用いられる。
【００１７】
図３は、本発明の他の実施形態のＵインターフェースの回路極性を自動的に反転するシステム３００の構成を示すブロック図である。
【００１８】
Ｕインターフェースの回路極性を自動的に反転するシステム３００は、電流検出モジュール３０１、回路極性判断モジュール３０３及び回路極性反転モジュール３０５を備える。
【００１９】
前記電流検出モジュール３０１は、前記Ｕインターフェースの回路電流の変化を検出する。本実施形態において、前記Ｕインターフェースの回路電流の変化は、回路電流が存在するものと回路電流が存在しないものを備える。
【００２０】
前記回路極性判断モジュール３０３は、前記Ｕインターフェースの回路極性が正確かどうかを判断し、且つ前記回路極性が正確でなければ、前記回路極性反転モジュール３０５をスタート・アップして作動する。前記回路極性判断モジュール３０３は、第二タイマー３０３１、第二判断サブモジュール３０３３、カウンター３０３５及び第三判断サブモジュール３０３７を備える。前記第二タイマー３０３１は、回路電流が変化する時のシステム時間を記録する。前記第二判断サブモジュール３０３３は、回路電流が連続して二次変化した時のシステム時間差Ｔｄが開区間（Ａ−ｘ,Ａ＋ｘ）ｍｓの内に存在するかどうかを判断する。本実施形態において、Ａは予め設定した値であって、例えば、４０ｍｓであって、ｘは、システム誤差である。前記カウンター３０３５は、Ｔｄが開区間（Ａ−ｘ,Ａ＋ｘ）ｍｓの内に存在する回数Ｃを記録する。前記第三判断サブモジュール３０３７は、前記カウンター３０３５の値Ｃが予め設定した第一閾値より大きいかどうかを判断し、且つＣが第一閾値より大きい時、前記カウンター３０３５を零に返し、同時に前記回路極性反転モジュール３０５をスタート・アップして作動することにする。
【００２１】
前記回路極性反転モジュール３０５は、前記ライン端末１０のＵインターフェースの回路極性を反転することに用いられる。
【００２２】
図４は、本発明の他の実施形態のＵインターフェースの回路極性を自動的に反転するシステム４００の構成を示すブロック図である。
【００２３】
Ｕインターフェースの回路極性を自動的に反転するシステム４００は、電流検出モジュール４０１、回路極性判断モジュール４０３及び回路極性反転モジュール４０５を備える。
【００２４】
前記電流検出モジュール４０１は、ライン端末１０において、Ｕインターフェースの回路電流の変化を検出する。本実施形態において、Ｕインターフェースの回路電流の変化は、回路電流が存在するものと回路電流が存在しないものを備える。
【００２５】
前記回路極性判断モジュール４０３は、前記Ｕインターフェースの回路極性が正確かどうかを判断し、且つ前記回路極性が正確でなければ、前記回路極性反転モジュール４０５をスタート・アップして作動する。前記回路極性判断モジュール４０３は、第二タイマー４０３１及び第四判断サブモジュール４０３３を備える。前記第二タイマー４０３１は、回路電流が変化する時のシステム時間を記録する。本実施形態において、前記第二タイマー４０３１は、回路電流が毎次変化する時のシステム時間をＭ＋１位の第一キュー（ｑｕｅｕｅ）の中に記録し、且つ第（ｉ＋１）次に電流が変化する時のシステム時間を第一キューの第ｉ位（ｉ＝１，２．．．Ｍ＋１）に記録する。前記第四判断サブモジュール４０３３は、前記第一キューに記録したシステム時間に基づいて、電流が連続してＭ次変化した時のシステム時間差Ｔｍが予め設定した第二閾値より小さいかどうかを判断し、且つＴｍが第二閾値より小さい時、前記第一キューを零に返し、同時に前記回路極性反転モジュール４０５をスタート・アップして作動する。本実施形態において、前記第二閾値は、（Ｍ＊Ａ＋ｘ）ｍｓと等しく、例えば、Ａは４０ｍｓであることができ、ｘはシステム誤差である。
【００２６】
前記回路極性反転モジュール４０５は、前記ライン端末１０のＵインターフェースの回路極性を反転することに用いられる。
【００２７】
図５は、本発明の他の実施形態のＵインターフェースの回路極性を自動的に反転するシステム５００の構成を示すブロック図である。
【００２８】
Ｕインターフェースの回路極性を自動的に反転するシステム５００は、電流検出モジュール５０１、回路極性判断モジュール５０３、回路極性反転モジュール５０５及び回路極性反転カウンター５０７を備える。
【００２９】
前記電流検出モジュール５０１は、Ｕインターフェースの回路電流の変化を検出する。本実施形態において、Ｕインターフェースの回路電流の変化として、回路電流が存在するものと回路電流が存在しないものとがある。
【００３０】
前記回路極性反転モジュール５０５は、前記ライン端末１０のＵインターフェースの回路極性を反転することに用いられる。
【００３１】
前記回路極性反転カウンター５０７は、回路極性が反転した回数を記録する。
【００３２】
前記回路極性判断モジュール５０３は、前記ライン端末１０のＵインターフェースの回路極性が正確かどうかを判断し、且つ前記回路極性が正確でなければ、前記回路極性反転モジュール５０５をスタート・アップして作動する。
【００３３】
前記回路極性判断モジュール５０３は、第二タイマー５０３１、第四判断サブモジュール５０３３、第五判断サブモジュール５０３５、第一タイマー５０３７、第一判断サブモジュール５０３９及びフレーム検出サブモジュール５０４１を備える。
【００３４】
前記第二タイマー５０３１は、回路電流が変化する時のシステム時間を記録する。本実施形態において、前記第二タイマー５０３１は、回路電流が毎次変化する時のシステム時間をＭ＋１（Ｍ＝１，２，３．．．）位の第一キューの中に記録し、且つ第ｉ＋１次に電流が変化する時のシステム時間を該キューの第ｉ位（ｉ＝１，２．．．Ｍ＋１）に記録する。
【００３５】
前記第四判断サブモジュール５０３３は、第一キューの第一位が０であるかどうか、及び回路電流が連続してＭ次変化した時のシステム時間差Ｔｍが予め設定した第二閾値より小さいかどうかを判断し、且つＴｍが第二閾値より小さい時、第Ｍ＋１次に電流が変化する時のシステム時間を二位の第二キューのＴ０位に記録し、元のＴ０位の値をＴ１位に記録するとともに、第一キューを零に返す。本実施形態において、前記第二閾値は、（Ｍ＊Ａ＋ｘ）ｍｓと等しく、Ａは予め設定した値であって、例えば、４０ｍｓであって、ｘはシステム誤差である。
【００３６】
前記第五判断サブモジュール５０３５は、第二キューのＴ１位の値が０であるかどうか、及びＴ１位の値が０ではない時、Ｔ０とＴ１の差が第二閾値より大きいかどうかを判断する。本実施形態において、もしＴ０とＴ１の差が第二閾値より大きければ、前記回路極性反転カウンター５０７が零に戻され、前記回路極性反転モジュール５０５は、ライン端末１０のＵインターフェースの回路極性を反転し、それから前記回路極性反転カウンター５０７は、自動的に１を加える。もしＴ１位の値が０であれば、前記回路極性反転モジュール５０５は、ライン端末１０のＵインターフェースの回路極性を直接反転する。
【００３７】
前記第一タイマー５０３７は、第一タイミング周期に基づいてタイミングする。本実施形態において、もし前記第四判断サブモジュール５０３３は、第一キューの第一位が０であると判断し、または回路電流が連続してＭ次変化した時のシステム時間差Ｔｍが第二閾値より大きいと判断すると、前記第一タイマー５０３７がスタート・アップする。または前記回路極性反転カウンター５０７が自動的に１を加える時、前記第一タイマー５０３７がスタート・アップする。または前記回路極性反転カウンター５０７の値がＢより大きいか等しい時、前記第一タイマー５０３７がスタート・アップする。
【００３８】
前記第一判断サブモジュール５０３９は、前記第一タイマー５０３７が一定の時間を越えるかどうかを判断する。本実施形態において、もし前記第一タイマー５０３７が一定の時間を越えなければ、前記電流検出モジュール５０１は、回路電流が消えたかどうかを検出し、且つ電流が消えなかった時、前記フレーム検出サブモジュール５０４１をスタート・アップして作動する。
【００３９】
前記フレーム検出サブモジュール５０４１は、ライン端末１０とデジタル・サービス・ユニット２０との間のフレームが同期化したかどうかを判断する。本実施形態において、もし前記第一タイマー５０３７が一定の時間を越えると、前記回路極性反転モジュール５０５は、前記ライン端末１０のＵインターフェースの回路極性を反転する。
【００４０】
図６は、本発明の実施形態のＵインターフェースの回路極性を自動的に反転する方法を示すフローチャートであって、該フローチャートは、図１の実施形態に適用する。ステップＳ６０１において、Ｕインターフェースをスタート・アップして、ライン端末１０とデジタル・サービス・ユニット２０とを接続する。ステップＳ６０３において、電流検出モジュール１０１は、前記ライン端末１０のＵインターフェースの回路電流を検出する。ステップＳ６０５において、回路極性判断モジュール１０３は、回路電流が存在する時、回路極性が正確かどうかを判断する。もし前記回路極性判断モジュール１０３によって回路の極性が正確でないと判断すれば、ステップＳ６０７に進み、回路極性反転モジュール１０５は、ライン端末１０のＵインターフェースの回路極性を反転する。
【００４１】
図７は、本発明の他の実施形態のＵインターフェースの回路極性を自動的に反転する方法を示すフローチャートであって、該フローチャートは、図２の実施形態に適用する。ステップＳ７０１において、Ｕインターフェースをスタート・アップして、ライン端末１０とデジタル・サービス・ユニット２０とを接続する。ステップＳ７０３において、電流検出モジュール２０１は、Ｕインターフェースの回路電流が存在するかどうかを検出する。ステップＳ７０５において、回路電流が存在する時、第一タイマー２０３１をスタート・アップして、タイミングを始める。ステップＳ７０７において、第一判断サブモジュール２０３３は、前記第一タイマー２０３１が一定の時間を越えるかどうかを判断する。もし前記第一タイマー２０３１が一定の時間を越えると、ステップＳ７１５に進み、回路極性反転モジュール２０５は、前記ライン端末１０のＵインターフェースの回路極性を反転する。
【００４２】
ステップＳ７０７において、もし前記第一タイマー２０３１が一定の時間を越えなければ、ステップＳ７０９に進み、電流検出モジュール２０１は、回路電流が存在するかどうかを判断する。もし回路電流が存在すると、ステップＳ７１１に進み、フレーム検出サブモジュール２０３５は、ライン端末１０とデジタル・サービス・ユニット２０との間のフレームが同期化したかどうかを判断する。前記フレームが同期化しなかった時、ステップＳ７０７に戻り、第一判断サブモジュール２０３３は、続いて第一タイマー２０３１が一定の時間を越えるかどうかを判断する。もしフレームが同期化すると、ステップＳ７１３に進み、前記第一タイマー２０３１を取り消す。
【００４３】
ステップＳ７０９において、回路電流が存在しなかった時、ステップＳ７１７に進み、前記第一タイマー２０３１を取り消し、それからステップＳ７０３に戻り、電流検出モジュール２０１は、続いて回路電流が存在するかどうかを判断する。
【００４４】
図８は、本発明の他の実施形態のＵインターフェースの回路極性を自動的に反転する方法を示すフローチャートであって、該フローチャートは、図３の実施形態に適用する。ステップＳ８０１において、Ｕインターフェースをスタート・アップして、ライン端末１０とデジタル・サービス・ユニット２０とを接続する。ステップＳ８０３において、電流検出モジュール３０１は、Ｕインターフェースの回路電流の変化を検出する。本実施形態において、回路電流の変化として、回路電流が存在するものと回路電流が存在しないものとがある。ステップＳ８０５において、第二タイマー３０３１は、回路電流が変化する時のシステム時間を記録する。ステップＳ８０７において、第二判断サブモジュール３０３３は、回路電流が連続して二次変化した時のシステム時間差Ｔｄが開区間（Ａ−ｘ,Ａ＋ｘ）ｍｓの内に存在するかどうかを判断する。本実施形態において、Ａは予め設定した値であって、例えば、４０ｍｓであって、ｘは、システム誤差である。ステップＳ８０９において、もしＴｄが前記開区間の内に存在すると、カウンター３０３５は、自動的に１を加える。ステップＳ８１１において、第三判断サブモジュール３０３７は、前記カウンター３０３５の値が第一閾値より大きいかどうかを判断する。本実施形態において、例えば、前記第一閾値が８である。ステップＳ８１３において、もし前記カウンター３０３５の値が第一閾値より大きければ、前記カウンター３０３５を零に返し、前記回路極性反転モジュール３０５は、Ｕインターフェースの回路極性を反転する。
【００４５】
ステップＳ８１１において、もし前記カウンター３０３５の値が第一閾値より小さいか等しい時、ステップＳ８０３に戻り、電流検出モジュール３０１は、続いてライン端末１０の回路電流を検出する。
【００４６】
ステップＳ８０７において、もしＴｄが前記開区間の内に存在しなければ、ステップＳ８１５に進み、前記カウンター３０３５を零に返す。前記カウンター３０３５を零に返してから、ステップＳ８０３に戻り、電流検出モジュール３０１は、続いてライン端末１０の回路電流を検出する。
【００４７】
図９は、本発明の他の実施形態のＵインターフェースの回路極性を自動的に反転する方法を示すフローチャートであって、該フローチャートは、図４の実施形態に適用する。ステップＳ９０１において、Ｕインターフェースをスタート・アップして、ライン端末１０とデジタル・サービス・ユニット２０とを接続する。ステップＳ９０３において、電流検出モジュール４０１は、回路電流の変化を検出する。ステップＳ９０５において、第二タイマー４０３１は、回路電流が変化する時のシステム時間を記録する。本実施形態において、回路電流が毎次変化する時のシステム時間をＭ＋１（Ｍ＝１，２，３．．．）位の第一キューの中に記録し、且つ第（ｉ＋１）次に電流が変化する時のシステム時間を第一キューの第ｉ位（ｉ＝１，２．．．Ｍ＋１）に記録する。ステップＳ９０７において、第四判断サブモジュール４０３３は、電流が連続してＭ次変化した時のシステム時間差Ｔｍが第二閾値より小さいかどうかを判断する。本実施形態において、前記第二閾値は、（Ｍ＊Ａ＋ｘ）ｍｓと等しく、例えば、Ａは予め設定した値であって、例えば、４０ｍｓであって、ｘはシステム誤差である。もし電流が連続してＭ次変化した時のシステム時間差Ｔｍが第二閾値より小さければ、ステップＳ９０９に入り込み、回路極性反転モジュール４０５は、Ｕインターフェースの回路極性を反転する。
【００４８】
ステップＳ９０７において、もし電流が連続してＭ次変化した時のシステム時間差Ｔｍが第二閾値より大きいか等しければ、ステップＳ９０３に戻り、電流検出モジュール４０１は、続いてライン端末１０の回路電流を検出する。
【００４９】
図１０は、本発明の他の実施形態のＵインターフェースの回路極性を自動的に反転する方法を示すフローチャートであって、該フローチャートは、図５の実施形態に適用する。
【００５０】
ステップＳ１０１において、Ｕインターフェースをスタート・アップして、ライン端末１０とデジタル・サービス・ユニット２０とを接続する。
【００５１】
ステップＳ１０３において、電流検出モジュール５０１は、回路電流の変化を検出する。
【００５２】
ステップＳ１０５において、第二タイマー５０３１は、回路電流が変化する時のシステム時間を記録する。本実施形態において、回路電流が毎次変化する時のシステム時間をＭ＋１（Ｍ＝１，２，３．．．）位の第一キューの中に記録し、且つ第ｉ＋１次に電流が変化する時のシステム時間を該キューの第ｉ位（ｉ＝１，２．．．Ｍ＋１）に記録する。
【００５３】
ステップＳ１０７において、第四判断サブモジュール５０３３は、第一キューの第一位が０であるかどうかを判断する。
【００５４】
もしの第一位が０ならば、節点Ｃに入り込む。もし第一位が０でなければ、ステップＳ１０９に進み、第四判断サブモジュール５０３３は、回路電流が連続してＭ次変化した時のシステム時間差Ｔｍが第二閾値より小さいかどうかを判断する。本実施形態において、前記第二閾値は、（Ｍ＊Ａ＋ｘ）ｍｓと等しく、Ａは予め設定した値であって、例えば、４０ｍｓであって、ｘはシステム誤差である。
【００５５】
もしシステム時間差Ｔｍが第二閾値より小さければ、ステップＳ１１１に進み、第一キューを零に返す。
【００５６】
ステップＳ１１３において、第Ｍ＋１次に電流が変化する時のシステム時間を二位の第二キューのＴ０位に記録し、元のＴ０位の値をＴ１位に記録する。
【００５７】
図１１は、図１０において、節点Ｄの後のフローチャートである。
【００５８】
節点ＤからステップＳ１１５に進み、第五判断サブモジュール５０３５は、第二キューのＴ１位の値が０であるかどうかを判断する。
【００５９】
もしＴ１位の値が０ではなければ、ステップＳ１１７に進み、前記第五判断サブモジュール５０３５は、Ｔ０とＴ１の差が第二閾値より大きいかどうかを判断する。
【００６０】
もしＴ０とＴ１の差が第二閾値より大きければ、ステップＳ１１９に進み、前記回路極性反転カウンター５０７が零に戻される。
【００６１】
ステップＳ１２１において、前記回路極性反転カウンター５０７が零に戻されてから、回路極性反転モジュール５０５は、Ｕインターフェースの回路極性を反転する。
【００６２】
ステップＳ１２３において、回路極性反転カウンター５０７は、自動的に１を加え、それから節点Ｃから図１２のステップＳ２０１に進む。
【００６３】
ステップＳ１１７において、もしＴ０とＴ１の差が第二閾値より小さいか等しければ、ステップＳ１２５に進み、前記回路極性反転カウンター５０７は、回路極性の反転した回数がＢより大きいか等しいかを判断する。本実施形態において、Ｂは予め設定した値であって、且つ２より大きいか等しい。
【００６４】
もし回路極性の反転した回数がＢより小さければ、ステップＳ１２１に進み、回路極性反転モジュール５０５は、Ｕインターフェースの回路極性を反転する。
【００６５】
ステップＳ１２５において、もし回路極性の反転した回数がＢより大きいか等しければ、節点Ｃに進む。
【００６６】
図１２は、図１０において、節点Ｃの後のフローチャートである。ステップＳ１０７、ステップＳ１０９、ステップＳ１２３、またはステップＳ１２５の後、節点ＣからステップＳ２０１に進む。電流検出モジュール５０１は、Ｕインターフェース回路電流が存在するかどうかを検出する。
【００６７】
前記Ｕインターフェース回路電流が存在すると、ステップＳ２０３に進み、第一タイマー５０３７がスタート・アップして、タイミングを始める。
【００６８】
ステップＳ２０５において、第一判断サブモジュール５０３９は、第一タイマー５０３７が一定の時間を越えるかどうかを判断する。
【００６９】
もし前記第一タイマー５０３７が一定の時間を越えなければ、ステップＳ２０７に進み、前記電流検出モジュール５０１は、回路電流が消えたかどうかを検出する。
【００７０】
回路電流が消えなかった時、ステップＳ２０９に進み、フレーム検出サブモジュール５０４１は、ライン端末１０とデジタル・サービス・ユニット２０との間のフレームが同期化したかどうかを判断する。
【００７１】
もしフレームが同期化すると、ステップＳ２１１に進み、前記第一タイマー５０３７を取り消す。
【００７２】
ステップＳ２１３において、電流検出モジュール５０１は、前記第一タイマー５０３７を取り消してから、続いて回路電流が存在するかどうかを判断する。
【００７３】
もし回路電流が存在すると、ステップＳ２１５に進み、フレーム検出サブモジュール５０４１は、ライン端末１０とデジタル・サービス・ユニット２０との間のフレームが同期化したかどうかを判断する。もしフレームが同期化すると、ステップＳ２１３に戻り、これに反すると、ステップＳ２０３に戻る。
【００７４】
ステップＳ２０５において、もし前記第一タイマー５０３７が一定の時間を越えると、節点Ｅに進む。
【００７５】
ステップＳ２０７において、もし回路電流が消えると、ステップＳ２１７に進み、前記第一タイマー５０３７を取り消してから、節点Ｂに進む。
【００７６】
ステップＳ２０９において、フレームが同期化しなければ、ステップＳ２０５に戻る。
【００７７】
ステップＳ２０１において、もし回路電流が存在しなければ、節点Ａに進み、ステップＳ１０３に戻る。
【００７８】
図１３は、図１２において、節点Ｅの後のフローチャートである。
【００７９】
ステップＳ２１９において、回路極性反転カウンター５０７を零に返す。
【００８０】
ステップＳ２２１において、回路極性反転モジュール５０５は、ライン端末１０のＵインターフェースの回路極性を反転する。
【００８１】
ステップＳ２２３において、回路極性反転カウンター５０７は、１を加える。
【００８２】
ステップＳ２２５において、第一タイマー５０３７をもう一度スタート・アップする。
【００８３】
ステップＳ２２７において、第一判断サブモジュール５０３９は、前記第一タイマー５０３７が一定の時間を越えるかどうかを判断する。
【００８４】
もし前記第一タイマー５０３７が一定の時間を越えなければ、ステップＳ２２９に進み、前記電流検出モジュール５０１は、回路電流が消えたかどうかを検出する。
【００８５】
もし回路電流が消えなければ、ステップＳ２３１に進み、フレーム検出サブモジュール５０４１は、ライン端末１０とデジタル・サービス・ユニット２０との間のフレームが同期化したかどうかを判断する。
【００８６】
もしフレームが同期ならば、節点Ｆに進み、それから図１２の中のステップＳ２１１に進み、これに反すると、ステップＳ２２７に進む。
【００８７】
ステップＳ２２９において、もし回路電流が消えると、節点Ｇに進み、それから図１２の中のステップＳ２１７に進む。
【００８８】
ステップＳ２２７において、もし前記第一タイマー５０３７が一定の時間を越えると、ステップＳ２３３に進み、回路極性反転カウンター５０７は、回路極性の反転した回数がＢより大きいか等しいかを判断する。本実施形態において、Ｂは予め設定した値であって、且つ２より大きいか等しい。
【００８９】
もし回路極性の反転した回数がＢより大きいか等しければ、ステップＳ２３５に進み、電流検出モジュール５０１は、回路電流が存在するかどうかを判断する。
【００９０】
もし回路電流が存在すると、ステップＳ２３７に進み、フレーム検出サブモジュール５０４１は、ライン端末１０とデジタル・サービス・ユニット２０との間のフレームが同期化したかどうかを判断する。もしフレームが同期ならば、節点Ｈに進み、それから図１２の中のステップＳ２１３に進み、これに反すると、ステップＳ２３５に戻り、前記電流検出モジュール５０１は、続いて回路電流が存在するかどうかを検出する。
【００９１】
ステップＳ２３３において、もし回路極性の反転した回数がＢより小さければ、ステップＳ２２１に戻り、回路極性反転モジュール５０５は、ライン端末１０のＵインターフェースの回路極性を反転する。
【００９２】
ステップＳ２３５において、もし回路電流が存在しなければ、節点Ｂに進み、それから図１０の中のステップＳ１０５に進む。
【００９３】
本発明の実施形態が提供するＵインターフェースの回路極性を自動的に反転するシステム及び方法は、回路極性判断モジュールを利用して、ライン端末のＵインターフェースの回路極性が正確かどうかを判断し、もし前記回路極性が正確でなければ、前記回路極性を自動的に反転することにより、回路極性が正確でないためにネットワーク設備が正常に作動できない現象を免れる。
【図面の簡単な説明】
【００９４】
【図１】本発明の実施形態のＵインターフェースの回路極性を自動的に反転するシステムの構成を示すブロック図である。
【図２】本発明の他の実施形態のＵインターフェースの回路極性を自動的に反転するシステムの構成を示すブロック図である。
【図３】本発明の他の実施形態のＵインターフェースの回路極性を自動的に反転するシステムの構成を示すブロック図である。
【図４】本発明の他の実施形態のＵインターフェースの回路極性を自動的に反転するシステムの構成を示すブロック図である。
【図５】本発明の他の実施形態のＵインターフェースの回路極性を自動的に反転するシステムの構成を示すブロック図である。
【図６】本発明の実施形態のＵインターフェースの回路極性を自動的に反転する方法を示すフローチャートである。
【図７】本発明の他の実施形態のＵインターフェースの回路極性を自動的に反転する方法を示すフローチャートである。
【図８】本発明の他の実施形態のＵインターフェースの回路極性を自動的に反転する方法を示すフローチャートである。
【図９】本発明の他の実施形態のＵインターフェースの回路極性を自動的に反転する方法を示すフローチャートである。
【図１０】本発明の他の実施形態のＵインターフェースの回路極性を自動的に反転する方法を示すフローチャートである。
【図１１】図１０の中の節点Ｄの後のフローチャートである。
【図１２】図１０の中の節点Ｃの後のフローチャートである。
【図１３】図１２の中の節点Ｅの後のフローチャートである。
【符号の説明】
【００９５】
１０  ライン端末
２０  デジタル・サービス・ユニット
１００、２００、３００、４００、５００  Ｕインターフェースの回路極性を自動的に反転するシステム
１０１、２０１、３０１、４０１、５０１  電流検出モジュール
１０３、２０３、３０３、４０３、５０３  回路極性判断モジュール
１０５、２０５、３０５、４０５、５０５  回路極性反転モジュール
５０７  回路極性反転カウンター
２０３１、５０３７  第一タイマー
２０３３、５０３９  第一判断サブモジュール
２０３５、５０４１  フレーム検出サブモジュール
３０３１、４０３１、５０３１  第二タイマー
３０３３  第二判断サブモジュール
３０３５  カウンター
３０３７  第三判断サブモジュール
４０３３、５０３３  第四判断サブモジュール
５０３５  第五判断サブモジュール
【図１】
2007295575.tif 000003
【図２】
2007295575.tif 000004
【図３】
2007295575.tif 000005
【図４】
2007295575.tif 000006
【図５】
2007295575.tif 000007
【図６】
2007295575.tif 000008
【図７】
2007295575.tif 000009
【図８】
2007295575.tif 000010
【図９】
2007295575.tif 000011
【図１０】
2007295575.tif 000012
【図１１】
2007295575.tif 000013
【図１２】
2007295575.tif 000014
【図１３】
2007295575.tif 000015